(57)【要約】【課題】簡単な構成で的確に乗客に十分な注意を喚起して安全性を高めることができるとともに、高い静粛性も確保することができるエレベータの出入口安全装置を提供する。【解決手段】建屋のエレベータホール１に設けられた出入口４と、出入口４を開閉するホールドア装置８と、出入口４の側部に設けられた発光体２５と、エレベータホールにおいて乗客によるかご呼びの操作が行なわれるときに、発光体２５を点灯させ、かご呼びの操作に応じてエレベータホール１にかご１４が到着してホールドア装置８が開くときに発光体２５を連続の点灯状態から点滅の点灯状態に変化させる制御を行なう制御手段とを備える。【選択図】    図１
2011046468.tif 000002
【特許請求の範囲】
【請求項１】
建屋のエレベータホールに設けられた出入口と、
前記出入口を開閉するホールドア装置と、
前記出入口の側部に設けられた発光体と、
前記エレベータホールにおいて乗客によるかご呼びの操作が行なわれるときに、前記発光体を点灯させ、かご呼びの操作に応じて前記エレベータホールにかごが到着して前記ホールドア装置が開くときに前記発光体の点灯状態を変化させる制御を行なう制御手段と、
を具備することを特徴とするエレベータの出入口安全装置。
【請求項２】
建屋の昇降路内を昇降移動するかごに設けられた出入口と、
前記出入口を開閉するかごドア装置と、
前記出入口の側部に設けられた発光体と、
前記かご内に乗り込んだ乗客による行先階登録の操作が行なわれたときに、前記発光体を点灯させ、行先階登録の操作に応じてかごがその行先階に到着して前記かごドア装置が開くときに前記発光体の点灯状態を変化させる制御を行なう制御手段と、
を具備することを特徴とするエレベータの出入口安全装置。
【請求項３】
請求項１に記載の安全装置及び請求項２に記載の安全装置を共に備えることを特徴とするエレベータの出入口安全装置。
【請求項４】
前記発光体の点灯状態の変化は、連続点灯状態から点滅点灯状態に変わる変化であることを特徴とする請求項１ないし３のいずれかに記載のエレベータの出入口安全装置。
【請求項５】
前記エレベータホールの出入口の側部に設けられた発光体は、前記ホールドア装置と隣接して配置されていることを特徴とする請求項１に記載のエレベータの出入口安全装置。
【請求項６】
前記かごの出入口の側部に設けられた発光体は、前記かごドア装置と隣接して配置されていることを特徴とする請求項１に記載のエレベータの出入口安全装置。
【発明の詳細な説明】
【技術分野】
【０００１】
この発明は、エレベータを利用する乗客の安全性を高めるために、エレベータの出入口に設けられるエレベータの出入口安全装置に関する。
【背景技術】
【０００２】
建屋の各階のエレベータホールには、かごが昇降する昇降路に通じる出入口が設けられ、これら出入口にホールドア装置が設置されている。また、昇降路内で昇降するかごは前面に出入口を有し、この出入口にかごドア装置が設置されている。そしてかごが所定の階床に移動して着床した際に、かごドア装置及びホールドア装置が互いに連動して開き、これによりエレベータホールとかごとの間での乗客の乗り降りが可能となる。各ドア装置は、それぞれドアパネルを備え、これらドアパネルが左右に移動することでエレベータホール及びかごの出入口が開閉される。
【０００３】
ところで、乗客がドア装置の近くで乗降を待機していると、そのドア装置が開閉するとき、特に開くときに、乗客の手などがそのドア装置のドアパネルと出入口の縁との間の隙間に引き込まれ、思わぬ怪我を負うような恐れがある。
【０００４】
このため、出入口の周辺部に、手などの引き込まれに注意するよう表記したステッカーを貼り付けて乗客に注意を促すようなことが行なわれている。
【０００５】
また、特開平９−１６５１７６号公報には、出入口に発光素子及び受光素子を備える光学式の検知機構を設け、乗客の手などがドア装置に近づいて触れようとしたときにそれを光学的に検知し、この検知時にはドア装置を開かないように制御し、かつ注意を促すメッセージをアナウンスして安全を図るようにした安全装置が開示されている。
【先行技術文献】
【特許文献】
【０００６】
【特許文献１】特開平９−１６５１７６号公報
【発明の概要】
【発明が解決しようとする課題】
【０００７】
しかしながら、出入口の周辺部に、単に注意を促すステッカーを貼り付けるだけでは、視覚的に目立たず、十分に注意を喚起することが難しい。
【０００８】
また、特開平９−１６５１７６号公報のように、出入口に発光素子及び受光素子を備える光学式の検知機構を設ける手段では、構造が複雑で高価となり、また乗客の検知時には注意を促すメッセージをアナウンスするため、ホテルや病院病棟のように高い静粛性が求められる施設には設置が不向きとなる。
【０００９】
この発明はこのような点に着目してなされたもので、その目的とするところは、簡単な構成で的確に乗客に十分な注意を喚起して安全性を高めることができるとともに、高い静粛性も確保することができるエレベータの出入口安全装置を提供することにある。
【課題を解決するための手段】
【００１０】
このような目的を達成するために、請求項１の発明は、建屋のエレベータホールに設けられた出入口と、前記出入口を開閉するホールドア装置と、前記出入口の側部に設けられた発光体と、前記エレベータホールにおいて乗客によるかご呼びの操作が行なわれるときに、前記発光体を点灯させ、かご呼びの操作に応じて前記エレベータホールにかごが到着して前記ホールドア装置が開くときに前記発光体の点灯状態を変化させる制御を行なう制御手段とを具備することを特徴としている。
【００１１】
請求項２の発明は、建屋の昇降路内を昇降移動するかごに設けられた出入口と、前記出入口を開閉するかごドア装置と、前記出入口の側部に設けられた発光体と、前記かご内に乗り込んだ乗客による行先階登録の操作が行なわれたときに、前記発光体を点灯させ、行先階登録の操作に応じてかごがその行先階に到着して前記かごドア装置が開くときに前記発光体の点灯状態を変化させる制御を行なう制御手段とを具備することを特徴としている。
【００１２】
請求項３の発明は、請求項１に記載の安全装置及び請求項２に記載の安全装置を共に備えることを特徴としている。
【００１３】
請求項４の発明は、前記発光体の点灯状態の変化が、連続点灯状態から点滅点灯状態に変わる変化であることを特徴としている。
【００１４】
請求項５の発明は、前記エレベータホールの出入口の側部に設けられた発光体が、前記ホールドア装置と隣接して配置されていることを特徴としている。
【００１５】
請求項６の発明は、前記かごの出入口の側部に設けられた発光体が、前記かごドア装置と隣接して配置されていることを特徴としている。
【発明の効果】
【００１６】
この発明によれば、簡単な構成で的確に乗客に十分な注意を喚起して安全性を高めることができるとともに、高い静粛性も確保することができる。
【図面の簡単な説明】
【００１７】
【図１】この発明の一実施形態を示す、エレベータホールの外観図。
【図２】エレベータホールの平断面図。
【図３】かごの内部からそのかごの出入口を見たときの外観図。
【図４】制御回路の構成を示すブロック図。
【図５】作用の流れの前半を示すフローチャート。
【図６】作用の流れの後半を示すフローチャート。
【発明を実施するための形態】
【００１８】
以下、この発明の実施の形態について図面を参照して説明する。図１にはエレベータホール１の外観図を、図２にはエレベータホール１の平断面図をそれぞれ示してある。
【００１９】
建屋の各階のエレベータホール１における壁面２には、その内側の昇降路３に通じる出入口４が設けられている。出入口４は三方枠５を備えている。三方枠５は一対の側壁部６と、これら側壁部６の上部間に架設された天板部７とで門形に構成されている。
【００２０】
出入口４の背面部には、この出入口４を開閉するホールドア装置８が設けられている。ホールドア装置８は、例えば一対のドアパネル８ａ，８ｂが左右に移動して出入口４を開閉する両開き式構造となっている。各ドアパネル８ａ，８ｂは、出入口４の背面下部に据付けられた敷居９の上に配置され、その敷居９に沿って移動する。
エレベータホール１の壁面２には、出入口4の側方部に位置してホール操作盤１２が取り付けられ、このホール操作盤１２に乗客が操作するかご呼びボタン１３が設けられている。
【００２１】
壁面２の内側の昇降路３内には、図２に示すように、かご１４が吊り下げられ、このかご１４が昇降路３内で昇降移動し、エレベータホール１のかご呼びボタン１３の操作に応じてかご１４がそのエレベータホール１に移動して着床停止する。
かご１４には前面に出入口１５が設けられている。図３には、かご１４の内部から出入口１５を見た外観図を示してある。かご１４の出入口１５は両側に出入口柱１６を有し、これら出入口柱１６と接近して出入口１５の外側にかごドア装置１７が設けられている。かごドア装置１７は、ホールドア装置８と対応するように一対のドアパネル１７ａ，１７ｂを備え、これらドアパネル１７ａ，１７ｂが左右に移動して出入口１５を開閉する両開き式構造となっている。出入口１５の下部外側には敷居１８が据え付けられ、この敷居１８の上にドアパネル１７ａ，１７ｂが配置され、これらドアパネル１７ａ，１７ｂが敷居１８に沿って左右に移動する。
かご１４の内側の壁面にはかご操作盤２０が設けられ、このかご操作盤２０に行先階を登録するための複数の行先階ボタン２１やドア開閉ボタン２２などが配設されている。
【００２２】
エレベータホール１の出入口４及びかご１４の出入口１５にはそれぞれ発光体２５，２６が設けられている。これら発光体２５，２６は、例えばシート状をなす有機ＥＬ（エレクトロルミネッセンス）やシート部材に光源としての多数の発光ダイオードを配設してなるもので、出入口４，１５の両側部にホールドア装置８のドアパネル８ａ，８ｂ及びかごドア装置１７のドアパネル１７ａ，１７ｂと隣接するように取り付けられている。
【００２３】
エレベータホール１の出入口４に設けられた発光体２５は、三方枠５における両側の側壁部６に、出入口４の高さ方向に連続して延び、出入口４の中央側に向くように取り付けられ、かご１４の出入口１５に設けられた発光体２６は、各出入口柱１６の壁面に出入口１５の高さ方向に連続して延び、出入口１５の中央側に向くように取り付けられている。
【００２４】
図４には制御回路を示してある。３０はエレベータの運行を制御する制御手段としての制御盤で、この制御盤３０にホール操作盤１２のかご呼びボタン１３、かご操作盤２０の行先階ボタン２１、ドア開閉ボタン２２、ホールドア装置８、各発光体２５，２６が接続されている。
【００２５】
次に、作用について図５及び図６に示すフローチャートを参照して説明する。
【００２６】
エレベータを利用する乗客が例えば建屋のＡ階のエレベータホール１においてかご呼びボタン１３を操作すると（Ｓ１）、その信号が制御盤３０に送られ、この信号に基づいて制御盤３０による制御でかご１４がＡ階のエレベータホール１に向って移動するとともに、Ａ階のエレベータホール１における出入口４の発光体２５が点灯する（Ｓ２）。発光体２５は例えば赤色に発光する。
【００２７】
かご１４がＡ階のエレベータホール１に到着すると（Ｓ３）、前記発光体２５が制御盤３０による制御で連続の点灯状態から点滅の点灯状態に変化する（Ｓ４）。そして、発光体２５が点滅しているときに、制御盤３０による制御でかごドア装置１７及びこれに連動してホールドア装置８が開き（Ｓ５）、各出入口４，１５が開放される。エレベータホール１の乗客は開放された出入口４，１５を通ってかご１４に乗り込み（Ｓ６）、行先階ボタン２１を操作して行先階を登録する（Ｓ７）。行先階の登録があると、ホールドア装置８及びかごドア装置１７が閉じ（Ｓ８）、出入口４，１５が閉鎖される。
【００２８】
ホールドア装置８及びかごドア装置１７が閉じた後には、Ａ階のエレベータホール１の発光体２５が消灯し（Ｓ９）、また乗客が乗り込んだかご１４内の発光体２６が点灯する（Ｓ１０）。さらにかご１４が目的階に向って移動し（Ｓ１１）、かご１４が目的の行先階に到着すると（Ｓ１２）、前記発光体２６が制御盤３０による制御で連続の点灯状態から点滅の点灯状態に変化する（Ｓ１３）。そして、発光体２６が点滅しているときに、制御盤３０による制御でかごドア装置１７及びこれに連動してホールドア装置８が開き（Ｓ１４）、出入口４，１５が開放される。
【００２９】
そして、かご１４内の乗客が出入口４，１５を通って目的階のエレベータホール１に降りる（Ｓ１５）。乗客が降りた後には、かごドア装置１７及びホールドア装置８が閉じ（Ｓ１６）、出入口４，１５が閉鎖される。かごドア装置１７及びホールドア装置８が閉じた後には、かご１４の発光体２６が消灯し（Ｓ１７）、かご１４が次のかご呼びに応じるエレベータホール１に向って移動する。
【００３０】
このように、エレベータホール１において乗客がかご呼びボタン１３を操作すると、そのエレベータホール１における出入口４の両側の発光体２５がまず連続点灯してホールドア装置８に対する注意が喚起され、さらにかご１４がそのエレベータホール１に到着してホールドア装置８が開きかけるときに、発光体２５が連続点灯から点滅状態に変化してより強く注意が喚起され、このため乗客はホールドア装置８の開きの動作に十分に注意を払うようになり、したがって乗客の手などがホールドア装置８と出入口４との間の隙間に引き込まれるような危険を的確に防止して安全性を高めることができる。
【００３１】
また、エレベータホール１からかご１４に乗客が乗り、行先階ボタン２１を操作すると、かご１４の出入口１５の両側の発光体２６が連続点灯してかごドア装置１７に対する注意が喚起され、さらにかご１４が目的の行先階に到着してかごドア装置１７が開きかけるときに、発光体２６が連続点灯から点滅状態に変化してより強く注意が喚起され、このため乗客はかごドア装置１７の開きの動作に十分に注意を払うようになり、したがって乗客の手などがかごドア装置１７と出入口１５との間の隙間に引き込まれるような危険を的確に防止して安全性を高めることができる。
【００３２】
そして発光体２５，２６の点灯により注意を喚起する方式であるから、アナウンスの場合と異なり、エレベータホール１の周辺が騒がしくならず、静粛性を十分に保つことができ、したがってホテルや病院病棟などのような特に高い静粛性が求められる施設であっても問題なく適用することができる。
【００３３】
なお、各発光体の点灯状態の変化は、連続点灯から点滅点灯に変える形態と併せて、さらに連続点灯時には青色に、点滅点灯時には赤色に点灯させるような異なる色を発光させる変化を組み合わせることも可能であり、これにより注意喚起精度をより高めることができる。また、エレベータホールのかご呼びボタンを車いす利用の乗客が操作したときに、それを検知して発光体を通常のかご呼びの場合と異なる形態で点灯させて差別化を図るようにすることも可能である。
【００３４】
また、前記実施形態では、エレベータホール及びかごの各ドア装置がそれぞれ一対のドアパネルが左右に移動する両開き式構造となっているが、一つのドアパネルが左右に移動する片開き式のドア装置、あるいは複数のドアパネルが前後に段違い状に配置され、その複数のドアパネルが同じ方向に異なる速度で移動する多段速片開き式のドア装置などであってもよい。
【符号の説明】
【００３５】
１…エレベータホール
３…昇降路
４…エレベータホールの出入口
５…三方枠
８…ホールドア装置
８ａ．８ｂ…ドアパネル
１２…ホール操作盤
１３…かご呼びボタン
１４…かご
１５…かごの出入口
１６…出入口柱
１７…かごドア装置
１７ａ．１７b…ドアパネル
２０…かご操作盤
２１…行先階ボタン
２２…ドア開閉ボタン
２５…エレベータホールの発光体
２６…かごの発光体
３０…制御盤
【図１】
2011046468.tif 000003
【図２】
2011046468.tif 000004
【図３】
2011046468.tif 000005
【図４】
2011046468.tif 000006
【図５】
2011046468.tif 000007
【図６】
2011046468.tif 000008